(57)【特許請求の範囲】
【請求項１】
ブロードバンド回線を介して移動通信網に接続されるフェムトセル無線基地局であって、
放送局からデジタル放送のコンテンツを無線受信する受信部と、
前記受信部で受信したデジタル放送のコンテンツを移動体通信ネットワークのブロードキャスト／マルチキャストの配信サービスで送信する送信部と、
を備えることを特徴とするフェムトセル無線基地局。
【請求項２】
前記送信部は、自基地局に位置登録している移動局が自基地局の圏外に移動した場合は、前記デジタル放送のコンテンツの送信を停止することを特徴とする請求項１に記載のフェムトセル無線基地局。
【発明の詳細な説明】
【技術分野】
【０００１】
本発明は、ブロードバンド回線を介して移動体通信システムに接続される超小型の無線基地局と、その無線基地局に収容される移動局に関する。
【背景技術】
【０００２】
近年、移動体通信用の機器、特に携帯電話端末は急速に普及し、人が住んでるエリアのほとんどで通信が可能となっている。しかしながら、家屋や建物の内部の空間や立地状況が悪い場所では、通常の既存無線基地局（即ち、広域無線基地局）からの電波が届かず圏外となったり、電波が弱く通信が安定しないエリアが存在したりしている。このような圏外となるエリアに対応するものとして、出力電力が小さく、半径数メートル〜数１０メートル程度のセル（サービスエリア）を提供する超小型の無線基地局が開発されている。このような超小規模のセル自体、或いは、当該セルを提供する超小型の無線基地局をフェムトセルと称する。フェムトセルは、例えばHome eNode Bなどを示す。
【０００３】
一方、一般家庭においても、光回線、ＡＤＳＬなどのブロードバンド回線の常時接続が普及しているため、フェムトセルと移動体通信システムを接続する環境（バックボーン）は整いつつある。さらに、通信事業者としては、フェムトセルおよびブロードバンド回線の利用によって、本来消費されるはずであった通常の既存無線基地局の帯域を使わずに済むというメリットもある。従って、近い将来、フェムトセルの本格的な開発および使用が期待されている。
【０００４】
また、従来技術として、基地局制御局にてテレビ放送情報を受信し、受信したテレビ放送情報を、テレビ放送の配信に用いられる伝送フォーマットから移動体通信に用いられる伝送フォーマットに変換して、基地局を経由して携帯電話端末にテレビ放送を送信するシステムが提案されている（特許文献１参照）。
【先行技術文献】
【特許文献】
【０００５】
【特許文献１】特開２００４−４０５３１号公報
【発明の概要】
【発明が解決しようとする課題】
【０００６】
ところで、現在の携帯電話端末は、テレビ放送を受信するために、テレビ受像装置を内蔵しているものが多いが、家屋や建物の内部等では、テレビ放送局からのテレビ放送の電波も弱く、テレビ放送を良好な受信品質で受信できないことが多い。そのため、家屋や建物の内部等に設置されるフェムトセルでテレビ放送を送信するようにすることが好ましい。
しかしながら、上述した特許文献１に記載のシステムのように、基地局でテレビ放送を送信すると、移動体通信のための限られた帯域（リソース）を圧迫して、他のユーザの携帯電話端末に影響を及ぼす可能性がある。
また、フェムトセルでテレビ放送を送信すると、フェムトセル経由でテレビ放送を視聴していたユーザが、テレビ放送の終了処理を行わず、携帯電話端末を所持したまま不意にフェムトセルの圏外に移動した場合や、携帯電話端末にエラーが生じて携帯電話端末からテレビ放送の終了処理ができなくなった場合には、フェムトセルのテレビ放送を停止する手段がなく、誰も視聴していない状況においても、フェムトセルは、テレビ放送を送信し続けてしまうことになり、電力を無駄に消費してしまう。また、誰も視聴していな状況において、テレビ放送のために移動体通信のための帯域（リソース）を使用してしまい、移動体通信のための限られた帯域を圧迫してしまう。
【０００７】
本発明は、このような問題点に鑑みてなされたものであり、本発明の目的は、家屋や建物の内部等のテレビ放送の電波の弱い場所においても、良好な受信品質でテレビ放送を受信できるようにすると共に、テレビ放送を誰も視聴していない状況において、テレビ放送の送信を停止して、無駄な消費電力を削減し、帯域（リソース）を開放して電波の有効利用を図ることができる無線基地局（フェムトセル）およびその無線基地局からのテレビ放送を受信する移動局を提供することにある。
【課題を解決するための手段】
【０００８】
上記目的を達成するため、本発明のフェムトセル無線基地局は、ブロードバンド回線を介して移動通信網に接続されるフェムトセル無線基地局であって、放送局からデジタル放送のコンテンツを無線受信する受信部と、前記受信部で受信したデジタル放送のコンテンツを移動体通信ネットワークのブロードキャスト／マルチキャストの配信サービスで送信する送信部とを備えることを特徴とする。
【０００９】
前記送信部は、自基地局に位置登録している移動局が自基地局の圏外に移動した場合は、前記デジタル放送のコンテンツの送信を停止することが好ましい。
【発明の効果】
【００１１】
本発明は、家屋や建物の内部等のテレビ放送の電波の弱い場所においても、良好な受信品質でテレビ放送を受信できるようにすることができる。
また、本発明は、携帯電話端末（移動局）がフェムトセル（無線基地局）の圏外に移動した時には、テレビ放送の送信を停止するので、無駄な消費電力を削減することができる。さらに、本発明は、携帯電話端末が圏外に移動してテレビ放送を視聴しなくなった時には、帯域（リソース）を開放するので電波の有効利用を図ることができる。
【図面の簡単な説明】
【００１２】
【図１】本発明のフェムトセルの内部構成の一例を示すブロック図である。
【図２】本発明のフェムトセルと携帯通信端末の通常の動作を説明するフローチャートである。
【図３】ユーザが、フェムトセルのブロードキャスト送信を停止させないで、携帯通信端末を所持したままフェムトセル圏外に移動した時の携帯通信端末の動作を説明するフローチャートである。
【図４】ユーザが、フェムトセルのブロードキャスト送信を停止させないで、携帯通信端末を所持したままフェムトセル圏外に移動した時のフェムトセルの動作を説明するフローチャートである。
【発明を実施するための形態】
【００１３】
本発明の実施の形態について図面を参照して説明する。図１は、本発明のフェムトセルの内部構成の一例を示すブロック図である。なお、本発明をＣＤＭＡ２０００ １ｘＥＶＤＯのＢＣＭＣＳ（Broadcast/Multicast Services）を例に説明するが、本発明は、その他の移動体通信ネットワークのブロードキャスト／マルチキャストの配信サービスを用いることができる。例えば、ＬＴＥのＭＢＭＳなどがある。
フェムトセル１０（無線基地局）は、無線部１１，１２と、フェムトセル制御部１３と、記憶部１４と、ＬＡＮ接続部１５と、ＴＶチューナー部１６（受信部）と、フォーマット変換部１７を備えている。
【００１４】
ＴＶチューナー部１６は、放送局からデジタルテレビ放送のコンテンツを無線受信する。フォーマット変換部１７は、ＴＶチューナー部１６で受信したデジタルテレビ放送の情報を、移動通信網で伝送するためのフォーマットに変換する。なお、デジタルテレビ放送は、ワンセグテレビ放送、地上デジタルテレビ放送、ＢＳデジタルテレビ放送等を含むものとする。
【００１５】
無線部１１，１２は、携帯通信端末へのブロードキャスト／マルチキャストサービスである、ＣＤＭＡ２０００ １ｘＥＶＤＯのＢＣＭＣＳを用いて、携帯通信端末（移動局）と通信するための電波を送受信するとともに、フォーマット変換部１７で変換されたデジタルテレビ放送のコンテンツをブロードキャストまたはマルチキャスト（以下、ブロードキャストという）で送信する。また、無線部１１，１２は、フェムトセルに位置登録している携帯通信端末がフェムトセルの圏外に移動した場合は、デジタルテレビ放送のコンテンツの送信を停止し、圏外に移動した携帯通信端末が一定期間内に再度位置登録してこない場合は、デジタルテレビ放送で使用していた帯域（リソース）を開放する。
【００１６】
フェムトセル制御部１３は、装置全体の制御を行う。記憶部１４は、各種設定情報を保存する。ＬＡＮ接続部１５は、インターネットなどのブローバンド回線を介して移動通信網に接続される。
【００１７】
図２は、本発明のフェムトセルと携帯通信端末の通常の動作を説明するフローチャートである。なお、携帯通信端末２０は、フェムトセル１０に位置登録しており、フェムトセル１０のチャネルＡ（リソースＡ）を使用して通信できるようになっており、また、フェムトセル１０のチャネルＢ（リソースＢ）は、どの端末とも通信しておらず、空きの状態になっているものとする。
【００１８】
ユーザは、フェムトセル経由でワンセグ放送を視聴したいと思った場合、自己の携帯通信端末２０のＴＶ受信用アプリケーションを起動する。ユーザにより携帯通信端末２０のＴＶ受信用アプリケーションが起動されると（Ｓ１０１）、ＴＶ受信用アプリケーションは、チャネルＡを使用してフェムトセル１０にワンセグ放送の受信および、ワンセグ放送のブロードキャスト（ＢＣＭＣＳ：Broadcast/Multicast Services）送信を要求する（Ｓ１０２）。
フェムトセル１０は、この要求を受信すると、どのチャネル（リソース）を使用してワンセグ放送を送信するかを携帯通信端末２０に通知する（Ｓ２０１）。この場合はチャネルＢを使用してブロードキャストでワンセグ放送を送信するものとする。
【００１９】
携帯通信端末２０は、この通知を受信すると、チャネルＢをブロードキャスト（ＢＣＭＣＳ：Broadcast/Multicast Services）受信用に設定し、ブロードキャスト受信待機状態にする（Ｓ１０３）。
フェムトセル１０は、ワンセグチューナーを起動し（Ｓ２０２）、ワンセグ放送を受信すると、ワンセグ放送から移動通信網に送信するためのフォーマット変換を開始する（Ｓ２０３）。準備ができたならば、フェムトセル１０は、チャネルＢを使用してワンセグ放送のブロードキャスト送信を開始する（Ｓ２０４）。
携帯通信端末２０は、ブロードキャスト受信待機状態であったため、フェムトセルからワンセグ放送が送信されると、受信を開始し、携帯通信端末２０の表示部に映像を表示する（Ｓ１０４）。
【００２０】
次に、ユーザにより携帯通信端末２０のＴＶ受信用アプリケーションを操作して、ワンセグ放送のチャンネルを変更する処理が行われると、携帯通信端末２０は、チャンネル変更要求をチャネルＡを使用してフェムトセル１０に通知する（Ｓ１０５）。
フェムトセル１０は、変更要求を受信すると（Ｓ２０５）、ワンセグチューナーの受信チャンネルを変更し（Ｓ２０６）、変更されたチャンネルのワンセグ放送をチャネルＢを使用してブロードキャストで送信する（Ｓ２０７）。
携帯通信端末２０は、チャンネル変更されたワンセグ放送の受信を開始し、携帯通信端末２０の表示部に映像を表示する（Ｓ１０６）。
【００２１】
次に、ユーザにより携帯通信端末２０のＴＶ受信用アプリケーションを操作して、ワンセグ放送の視聴を終了する処理が行われると、携帯通信端末２０は、チャネルＡを使用して、ワンセグ放送の受信終了要求をフェムトセル１０に通知する（Ｓ１０７）。そして、携帯通信端末２０は、ブロードキャスト受信を終了する（Ｓ１０８）。携帯通信端末２０のＴＶ受信用アプリケーションは、そのまま立ち上がったままでも良いし、自動で終了するようにしてもよい。
フェムトセル１０は、ワンセグ放送の受信終了要求を受信すると、ブロードキャスト送信を停止させ、ブロードキャスト送信用に割り当てていたチャネルＢを開放する（Ｓ２０８）。その後、フェムトセル１０は、ワンセグチューナーの終了処理を行い、停止させる（Ｓ２０９）。
【００２２】
図３は、ユーザが、フェムトセルのブロードキャスト送信を停止させないで、携帯通信端末を所持したままフェムトセル圏外に移動した時の携帯通信端末の動作を説明するフローチャートである。
まず、携帯通信端末２０は、自端末の無線部（第１の受信部）で、位置登録したフェムトセル１０からワンセグ放送をブロードキャストで受信している。ここで、ユーザが、携帯通信端末２０を所持したままフェムトセル１０の圏外に移動し、携帯通信端末２０が、位置登録していたフェムトセル１０を見失ったとする（Ｓ３０１）。
【００２３】
すると、携帯通信端末２０は、タイマーを起動して、ある一定期間、見失ったフェムトセル１０へ再位置登録できるか否かを判定する（Ｓ３０２）。ある一定期間内に再位置登録できれば、ブロードキャスト経由で視聴を継続する（Ｓ３０３）。タイマーがタイムアウトして再位置登録できなかった場合（Ｓ３０４でＹｅｓの場合）、放送局からワンセグ放送のコンテンツを受信するＴＶチューナー（第２の受信部）を自端末が備えていれば（Ｓ３０５でＹｅｓの場合）、自端末のＴＶチューナーに切り替えて、今まで視聴していたワンセグ放送の視聴を続ける（Ｓ３０６）。ＴＶチューナーを自端末が備えていなければ（Ｓ３０４でＮｏの場合）、エラーメッセージを表示してＴＶアプリケーションを終了する（Ｓ３０７）。
【００２４】
図４は、ユーザが、フェムトセルのブロードキャスト送信を停止させないで、携帯通信端末を所持したままフェムトセル圏外に移動した時のフェムトセルの動作を説明するフローチャートである。
まず、フェムトセル１０は、携帯通信端末２０からの要求に基づきワンセグ放送のデータをチャネルＢを使用してブロードキャストで送信している。ここで、フェムトセル１０は、フェムトセル１０へ位置登録していた携帯通信端末２０がいなくなったことを検出し、チャネルＡも空きになってしまったとする（Ｓ４０１）。
【００２５】
すると、フェムトセル１０は、ブロードキャストの送信を停止し（Ｓ４０２）、ワンセグ放送から移動通信網に送信するためのフォーマット変換も一時中断する（Ｓ４０３）。この時、チャネルＢは、送信はしていないがブロードキャスト送信用に確保してある。
フェムトセル１０は、タイマーを起動して、ある一定期間、先ほどまで位置登録していた携帯通信端末２０が再位置登録してくるか否かを監視する（Ｓ４０４）。
【００２６】
携帯通信端末２０がタイマーアウトする前に再度位置登録してきた場合（Ｓ４０４でＹｅｓの場合）、フェムトセル１０は、フォーマット変換を再開し（Ｓ４０５）、チャネルＢを使用してブロードキャストでのワンセグ放送の送信を再開し（Ｓ４０６）、ブロードキャストでのワンセグ放送を継続して送信する（Ｓ４０７）。
携帯通信端末２０が再度位置登録せずにタイマーアウトした場合（Ｓ４０８でＹｅｓの場合）は、フェムトセル１０は、ブロードキャスト送信用に確保していたチャネルＢの帯域（リソース）を開放し（Ｓ４０９）、テレビチューナーをオフにして、ワンセグ受信状態を終了する（Ｓ４１０）。
【００２７】
上述したように、フェムトセル１０は、携帯通信端末２０がフェムトセル１０の圏外に移動した時には、テレビ放送の送信を停止するので、無駄な消費電力を削減することができる。また、圏外に移動した携帯通信端末２０が一定期間内に再度位置登録してこない時には、デジタルテレビ放送で使用していた帯域（リソース）を開放するので電波の有効利用を図ることができる。
【符号の説明】
【００２８】
１０  フェムトセル
１１，１２  無線部
１３  フェムトセル制御部
１４  記憶部
１５  ＬＡＮ接続部
１６  ＴＶチューナー部
１７  フォーマット変換部
２０  携帯通信端末
【図１】
0005671289.tif 000002
【図２】
0005671289.tif 000003
【図３】
0005671289.tif 000004
【図４】
0005671289.tif 000005